(57)【要約】【課題】ジャミング信号の信号レベルを自動的に制御して無線通信の品質劣化を抑止する。【解決手段】デジタル中継処理部２００は、入力スペクトル１２０ａ〜１２０ｎをＡＤ変換によってアナログ信号からデジタル信号へ変換し、変換した入力スペクトル１２０ａ〜１２０ｎをデジタル信号処理でサブスペクトルに分割し、サブスペクトル間で周波数帯を交換し、サブスペクトルを結合して出力スペクトル１３０ａ〜１３０ｎを生成し、出力スペクトル１３０ａ〜１３０ｎをＤＡ変換によってデジタル信号に変換する。この際、中デジタル中継処理部２００は、サブスペクトル単位でレベル測定を行ってジャミング信号が混入したサブスペクトルを特定し、特定したサブスペクトルの利得を制御する。これにより、ジャミング信号が混入したサブスペクトルを除去または減衰して無線通信性能を改善することができる。【選択図】図１
2013236250.tif 000002
【特許請求の範囲】
【請求項１】
複数の部分周波数帯を含んだ特定の周波数帯の信号を入力信号として入力し、入力した入力信号を前記複数の部分周波数帯に分割して複数の分割信号を生成する分割信号生成部と、
前記分割信号生成部によって生成された複数の分割信号の分割信号毎に分割信号の電力値と所定の電力閾値とを比較し、前記複数の分割信号のうち電力値が前記所定の電力閾値より大きい分割信号をジャミング混入信号として検出するジャミング混入信号検出部と、
前記ジャミング混入信号検出部によって検出されたジャミング混入信号の電力値を所定の減衰比で減衰させた値に変更するジャミング混入信号減衰部と、
前記ジャミング混入信号減衰部によって変更された電力値を表すジャミング混入信号と前記ジャミング混入信号以外の分割信号との少なくともいずれかの信号を用いて出力信号を生成し、生成した出力信号を出力する出力信号生成部と
を備えることを特徴とする信号中継器。
【請求項２】
前記ジャミング混入信号検出部は、前記ジャミング混入信号の電力値をゼロに変更することを特徴とする請求項１記載の信号中継器。
【請求項３】
前記特定の周波数帯は、通信信号を通信するための通信周波数帯を含み、
前記ジャミング混入信号減衰部は、前記ジャミング混入信号の他に、前記通信周波数帯以外の部分周波数帯の分割信号を選択し、選択した分割信号の電力値をゼロに変更する
ことを特徴とする請求項２記載の信号中継器。
【請求項４】
前記出力信号生成部は、前記ジャミング混入信号を含む前記複数の分割信号の少なくとも２つの分割信号の部分周波数帯を交換し、部分周波数帯を交換した少なくともいずれかの分割信号を用いて前記出力信号を生成する
ことを特徴とする請求項１から請求項３いずれかに記載の信号中継器。
【請求項５】
前記信号中継器は、さらに、
アナログ信号を入力し、入力したアナログ信号をデジタル信号に変換し、変換によって得られたデジタル信号を前記入力信号として前記分割信号生成部に出力する入力信号変換部と、
前記出力信号生成部から出力される出力信号を入力し、入力した出力信号をデジタル信号からアナログ信号に変換し、変換によって得られたアナログ信号を出力する出力信号変換部とを備える
ことを特徴とする請求項１から請求項４いずれかに記載の信号中継器。
【発明の詳細な説明】
【技術分野】
【０００１】
本発明は、例えば、通信衛星に搭載されて通信信号を中継する信号中継器に関するものである。
【背景技術】
【０００２】
通信衛星は、地上の送信局から通信信号を受信し、受信した通信信号のスペクトルをフィルタにより分割し、分割した通信信号のスペクトルの周波数を変換し、周波数を変換した通信信号のスペクトルを結合して通信信号を地上の受信局に送信する。
そこで、通信信号のスペクトルの周波数変換をより柔軟に行うため、スペクトルの分割、結合及び周波数変換をデジタル信号処理によって行う通信衛星用の中継器が望まれている。
【０００３】
特許文献１は、アップリンクビームで受信されるサブバンドスペクトルをデジタル方式で複数の周波数スライスに分割してルーティングを行い、複数の周波数スライスをデジタル方式で再び組み合わせて複数の出力サブバンドを形成するデジタルペイロードを開示している。
また、特許文献１は、「帯域幅の消費における変化を識別するために、前記サブバンドスペクトルをモニタするステップと、前記変化に応じて前記ルーティングするステップを調整し、それにより、前記デジタルペイロードの効率性を向上させるステップ」とを含む方法（特許文献１の請求項６参照）を開示している。つまり、特許文献１の方法は、サブバンドスペクトルのモニタ結果をルーティングに適用するものである。
但し、特許文献１は、トーンジャミングに代表される狭帯域ジャミングの信号レベルを制御する方法を開示していない。
【先行技術文献】
【特許文献】
【０００４】
【特許文献１】特表２００６−５１６８６７号公報
【発明の概要】
【発明が解決しようとする課題】
【０００５】
本発明は、例えば、ジャミング信号のレベルを自動的に制御して無線通信の品質劣化を抑止できるようにすることを目的とする。
【課題を解決するための手段】
【０００６】
本発明の信号中継器は、
複数の部分周波数帯を含んだ特定の周波数帯の信号を入力信号として入力し、入力した入力信号を前記複数の部分周波数帯に分割して複数の分割信号を生成する分割信号生成部と、
前記分割信号生成部によって生成された複数の分割信号の分割信号毎に分割信号の電力値と所定の電力閾値とを比較し、前記複数の分割信号のうち電力値が前記所定の電力閾値より大きい分割信号をジャミング混入信号として検出するジャミング混入信号検出部と、
前記ジャミング混入信号検出部によって検出されたジャミング混入信号の電力値を所定の減衰比で減衰させた値に変更するジャミング混入信号減衰部と、
前記ジャミング混入信号減衰部によって変更された電力値を表すジャミング混入信号と前記ジャミング混入信号以外の分割信号との少なくともいずれかの信号を用いて出力信号を生成し、生成した出力信号を出力する出力信号生成部とを備える。
【発明の効果】
【０００７】
本発明によれば、例えば、ジャミング信号のレベルを自動的に制御して無線通信の品質劣化を抑止することができる。
【図面の簡単な説明】
【０００８】
【図１】実施の形態１における衛星通信システム１００の構成図。
【図２】実施の形態１における中継器２００の機能構成図。
【図３】実施の形態１における利得自動制御部２３０ａの機能構成図。
【図４】実施の形態２における利得自動制御部２３０ａの機能構成図。
【発明を実施するための形態】
【０００９】
実施の形態１．
ジャミング信号のレベルを自動的に制御して無線通信の品質劣化を抑止する信号中継器の形態について説明する。
【００１０】
図１は、実施の形態１における衛星通信システム１００の構成図である。
実施の形態１における衛星通信システム１００の構成について、図１に基づいて説明する。
【００１１】
衛星通信システム１００は、通信信号を送信する１つ以上の地上局１０１と、通信信号を中継する衛星中継局１１０と、通信信号を受信する１つ以上の地上局１０２とを備える。但し、地上局１０１および地上局１０２は一つずつ図示する。
【００１２】
各地上局１０１は、通信機器を備える装置または施設であり、特定の周波数帯を利用して通信信号を衛星中継局１１０へ送信する。例えば、各地上局１０１は、通信対象のデータをスペクトラム拡散して拡散信号を生成し、生成した拡散信号を通信信号として送信する。
各地上局１０２は、通信機器を備える装置または施設であり、特定の周波数帯の通信信号を衛星中継局１１０から受信する。例えば、各地上局１０２は、受信した通信信号をスペクトラム逆拡散して通信対象のデータを復元する。
【００１３】
衛星中継局１１０（人工衛星、通信衛星または信号中継器）は、１つ以上の受信アンテナ１１１（１１１ａ〜１１１ｎ）と、アナログ入力処理部１１２（１１２ａ〜１１２ｎ）と、デジタル中継処理部２００と、アナログ出力処理部１１３（１１３ａ〜１１３ｎ）と、１つ以上の送信アンテナ１１４（１１４ａ〜１１４ｎ）とを備える。
衛星中継局１１０は、周波数帯別に複数の受信アンテナ１１１および複数の送信アンテナ１１４を備えても構わない。
【００１４】
アナログ入力処理部１１２は、受信アンテナ１１１に到達したアナログ信号をアナログフィルタ（回路または処理）を用いて周波数帯別の複数のアナログ信号に分割し、分割して得られた複数のアナログ信号（アナログ信号のスペクトルを表す複数の信号データ。以下同様）を周波数変換して出力する。以下、各アナログ入力処理部１１２（１１２ａ〜１１２ｎ）が出力する複数のアナログ信号を「入力スペクトル１２０ａ〜１２０ｎ」という。
デジタル中継処理部２００は、アナログ入力処理部１１２から出力された入力スペクトル１２０ａ〜１２０ｎに対して所定の中継処理を行って出力スペクトル１３０ａ〜１３０ｎを出力する。デジタル中継処理部２００が行う中継処理の詳細については後述する。
各アナログ出力処理部１１３（１１３ａ〜１１３ｎ）は、デジタル中継処理部２００から出力された出力スペクトル１３０ａ〜１３０ｎを周波数変換して送信アンテナ１１４（１１４ａ〜１１４ｎ）を用いて送信する。
【００１５】
図２は、実施の形態１におけるデジタル中継処理部２００の機能構成図である。
実施の形態１におけるデジタル中継処理部２００の機能構成について、図２に基づいて説明する。
【００１６】
デジタル中継処理部２００（信号中継器の一例）は、１つ以上のＡＤＣ２１０ａ〜２１０ｎ（入力信号変換部の一例）、スペクトル分割部２２０ａ〜２２０ｎ（分割信号生成部の一例）および利得自動制御部２３０ａ〜２３０ｎ（ジャミング混入信号検出部、ジャミング混入信号減衰部の一例）を備える。
デジタル中継処理部２００は、交換部２４０（出力信号生成部の一例）を備える。
デジタル中継処理部２００は、１つ以上のスペクトル結合部２５０ａ〜２５０ｎ（出力信号生成部の一例）およびＤＡＣ２６０ａ〜２６０ｎ（出力信号変換部の一例）を備える。
【００１７】
ＡＤＣ２１０ａ（Ａｎａｌｏｇ−ｔｏ−Ｄｉｇｉｔａｌ  Ｃｏｎｔｒｏｌｌｅｒ）は、入力スペクトル１２０ａを入力し、入力した入力スペクトル１２０ａをアナログ信号からデジタル信号に変換し、デジタル信号に変換した入力スペクトル１２０ａを出力する。
他のＡＤＣ２１０（例えば、ＡＤＣ２１０ｎ）の機能は、ＡＤＣ２１０ａと同様である。
【００１８】
スペクトル分割部２２０ａは、ＡＤＣ２１０ａから出力された入力スペクトル１２０ａを入力し、入力した入力スペクトル１２０ａをデジタルフィルタ（回路または処理）を用いて周波数帯別の複数のサブスペクトルに分割し、周波数帯別の複数のサブスペクトル１４０（１４０ａ〜１４０ｎ）を利得自動制御部２３０ａに出力する。
他のスペクトル分割部２２０（例えば、スペクトル分割部２２０ｎ）の機能は、スペクトル分割部２２０ａと同様である。
【００１９】
利得自動制御部２３０ａは、スペクトル分割部２２０ａから出力される複数のサブスペクトルを入力し、入力した複数のサブスペクトルのうちジャミング信号を含んだサブスペクトルを特定し、特定したサブスペクトルの信号電力をゼロにする。利得自動制御部２３０ａは、信号電力をゼロにしたサブスペクトルを含めて複数のサブスペクトル１４９（１４０ａ〜１４９ｎ）を出力する。
利得自動制御部２３０ａの機能の詳細については後述する。
他の利得自動制御部２３０（例えば、利得自動制御部２３０ｎ）の機能は、利得自動制御部２３０ａと同様である。
【００２０】
交換部２４０は、各利得自動制御部２３０ａ〜２３０ｎから出力される複数のサブスペクトルを入力し、入力した全てのサブスペクトルを対象にして所定のサブスペクトル間で周波数帯を交換し、サブスペクトルの複数の組み合わせａ〜ｎを生成し、生成したサブスペクトルの複数の組み合わせａ〜ｎを出力する。
サブスペクトルの周波数帯の交換は、サブスペクトルの並び替えや組み替えを意味する。サブスペクトルの周波数帯を交換する交換方法は予め決められ、交換方法を特定する情報が交換部２４０の記憶部に予め記憶されているものとする。交換部２４０を備えるデジタル中継処理部２００は「チャネライザー」とも呼ばれる。
例えば、交換部２４０は、利得自動制御部２３０ａから出力される複数のサブスペクトル「ａ１」「ａ２」「ａ３」（ａ１〜ａ３の周波数帯は互いに連続している）に含まれるサブスペクトル「ａ２」と、利得自動制御部２３０ｎから出力される複数のサブスペクトル「ｎ１」「ｎ２」「ｎ３」（ｎ１〜ｎ３の周波数帯は互いに連続している）に含まれるサブスペクトル「ｎ２」との間で周波数帯を交換する。そして、交換部２４０は、サブスペクトルの第一の組み合わせ「ａ１」「ｎ２」「ａ３」（ａ１、ｎ２およびａ３の周波数帯は互いに連続している）とサブスペクトルの第二の組み合わせ「ｎ１」「ａ２」「ｎ３」（ｎ１、ａ２およびｎ３の周波数帯は互いに連続している）とを出力する。
例えば、交換部２４０は、サブスペクトルの組み合わせａをスペクトル結合部２５０ａに出力する。
【００２１】
スペクトル結合部２５０ａは、交換部２４０から出力されるサブスペクトルの組み合わせａを入力し、入力したサブスペクトルの組み合わせａを構成する複数のサブスペクトルを結合して連続した周波数帯域のデジタル信号を生成し、生成したデジタル信号（デジタル信号のスペクトルを表す信号データ。以下同様）を出力する。以下、スペクトル結合部２５０ａが出力するデジタル信号を「出力スペクトル１３０ａ」という。
他のスペクトル結合部２５０（例えば、スペクトル結合部２５０ｎ）の機能は、スペクトル結合部２５０ａと同様である。
【００２２】
ＤＡＣ２６０ａ（Ｄｉｇｉｔａｌ−ｔｏ−Ａｎａｌｏｇ  Ｃｏｎｔｒｏｌｌｅｒ）は、スペクトル結合部２５０ａから出力される出力スペクトル１３０ａを入力し、入力した出力スペクトル１３０ａをデジタル信号からアナログ信号に変換し、アナログ信号に変換した出力スペクトル１３０ａを出力する。
他のＤＡＣ２６０（例えば、ＤＡＣ２６０ｎ）の機能は、ＤＡＣ２６０ａと同様である。
【００２３】
図３は、実施の形態１における利得自動制御部２３０ａの機能構成図である。
実施の形態１における利得自動制御部２３０ａの機能について、図３に基づいて説明する。他の利得自動制御部２３０の機能は利得自動制御部２３０ａと同様である。
【００２４】
利得自動制御部２３０ａは、（１）複数のサブスペクトル１４０ａ〜１４０ｎを入力し、入力した複数のサブスペクトル１４０ａ〜１４０ｎに対して以下に説明する利得自動制御処理を行い、（２）利得自動制御処理後の複数のサブスペクトル１４９ａ〜１４９ｎを出力する。
【００２５】
複数のサブスペクトル１４０ａ〜１４０ｎは、例えば，入力拡散信号１２１と入力雑音信号１２２とジャミング信号１２３（図中の太い矢印）とを含んだ入力スペクトル１２０ａを分割した分割信号である。
入力拡散信号１２１は、通信対象のデータに対してスペクトラム拡散の処理をして得られた通信信号である。図３において、入力拡散信号１２１は４つのサブスペクトル１４０ｂ〜１４０ｅに含まれる。
入力雑音信号１２２は、通信信号である入力拡散信号１２１以外の信号のうち信号レベル（電力値）が小さい信号である。
ジャミング信号１２３は、信号レベルが大きい妨害信号である。ジャミング信号１２３はトーン、ジャミングまたはトーンジャミングなどとも呼ばれる。図３において、ジャミング信号１２３はサブスペクトル１４０ｄに混入している。
【００２６】
利得自動制御部２３０ａは、複数のサブスペクトル１４０ａ〜１４０ｎに対応する複数のレベル測定部２３１ａ〜２３１ｎと複数の利得制御部２３２ａ〜２３２ｎとを備える。
例えば、レベル測定部２３１ａおよび利得制御部２３２ａはサブスペクトル１４０ａを処理する。
【００２７】
レベル測定部２３１ａは、サブスペクトル１４０ａの信号レベルと所定のレベル閾値とを比較し、比較結果を利得制御部２３２ａに出力する。レベル閾値は、ジャミング信号１２３が混入したサブスペクトル１４０ｄを検出するための信号レベルを表す値であり、利得自動制御部２３０ａの記憶部に予め記憶しておく。
他のレベル測定部２３１ｂ〜２３１ｎの機能は、レベル測定部２３１ａと同様である。
【００２８】
利得制御部２３２ａは、サブスペクトル１４０ａに入力拡散信号１２１の少なくとも一部が含まれるか否かを判定する。入力拡散信号１２１を含むサブスペクトル１４０の範囲（通信周波数帯の一例）は、予め定めて利得自動制御部２３０ａの記憶部に記憶しておく。
サブスペクトル１４０ａに入力拡散信号１２１のいずれの一部も含まれない場合、利得制御部２３２ａは、サブスペクトル１４０ａに信号レベルをゼロにする利得を与える。この場合、信号レベルがゼロであるサブスペクトル１４９ａが利得自動制御部２３０から出力される。つまり、サブスペクトル１４０ａはミュートされる。
サブスペクトル１４０ａに入力拡散信号１２１の少なくとも一部が含まれる場合、利得制御部２３２ａは、以下の処理を行う。
【００２９】
利得制御部２３２ａは、レベル測定部２３１ａから出力された比較結果を入力し、入力した比較結果に基づいてサブスペクトル１４０ａの信号レベルがレベル閾値より大きいか否かを判定する。
サブスペクトル１４０ａの信号レベルがレベル閾値より大きい場合、利得制御部２３２ａは、サブスペクトル１４０ａに信号レベルをゼロにする利得を与える。この場合、信号レベルがゼロであるサブスペクトル１４９ａが利得自動制御部２３０から出力される。つまり、サブスペクトル１４０ａはミュートされる。
サブスペクトル１４０ａの信号レベルがレベル閾値以下である場合、利得制御部２３２ａは、サブスペクトル１４０ａに信号レベルをゼロにする利得を与えない。この場合、信号レベルがゼロでないサブスペクトル１４９ａが利得自動制御部２３０から出力される。
【００３０】
他の利得制御部２３２ｂ〜２３２ｎの機能は、利得制御部２３２ａと同様である。
【００３１】
図３において、利得自動制御部２３０ａは、信号レベルがゼロでないサブスペクトル１４９ｂを出力する。サブスペクトル１４９ｂは入力拡散信号１２１の一部（サブ拡散信号１４１）と入力雑音信号１２２の一部（サブ雑音信号１４２）とを含む。
サブスペクトル１４９ｂに対応するサブスペクトル１４０ｂには入力拡散信号１２１の一部が含まれるがジャミング信号１２３が混入しておらず、サブスペクトル１４０ｂの信号レベルがレベル閾値以下だからである。
利得自動制御部２３０ａは、同様に、信号レベルがゼロでないサブスペクトル１４９ｃおよび１４９ｅを出力する。
【００３２】
図３において、利得自動制御部２３０ａは、信号レベルがゼロであるサブスペクトル１４９ｄを出力する。
サブスペクトル１４９ｄに対応するサブスペクトル１４０ｄには入力拡散信号１２１の一部が含まれると共にジャミング信号１２３が混入しており、サブスペクトル１４０ｄの信号レベルがレベル閾値より大きいからである。
【００３３】
図３において、利得自動制御部２３０ａは、信号レベルがゼロであるサブスペクトル１４９ａを出力する。
サブスペクトル１４９ａに対応するサブスペクトル１４０ａには入力拡散信号１２１のいずれの一部も含まれないためである。
利得自動制御部２３０ａは、同様に、信号レベルがゼロであるサブスペクトル１４９ｆ〜１４９ｎを出力する。
【００３４】
利得自動制御部２３０ａから出力された複数のサブスペクトル１４９ａ〜１４９ｎは、他の利得自動制御部２３０（図示省略）から出力される複数のサブスペクトル１４９と共に交換部２４０に入力される。
交換部２４０は、各利得自動制御部２３０ａ〜２３０ｎから入力した全てのサブスペクトル１４９を対象にしてサブスペクトル交換処理を行ってサブスペクトル１４９の複数の組み合わせａ〜ｎを生成し、生成したサブスペクトル１４９の複数の組み合わせａ〜ｎを各スペクトル結合部２５０ａ〜２５０ｎに出力する。サブスペクトル交換処理は所定のサブスペクトル間で周波数帯を交換する処理である。例えば、交換部２４０は、サブスペクトル１４９ｂ〜１４９ｅを含んだサブスペクトル１４９の組み合わせａをスペクトル結合部２５０ａに出力する。
スペクトル結合部２５０ａは、交換部２４０から出力されるサブスペクトル１４９の組み合わせａを入力し、入力したサブスペクトル１４９の組み合わせａを構成する複数のサブスペクトル１４９を結合して出力スペクトル１３０ａを生成し、生成した出力スペクトル１３０ａを出力する。例えば、スペクトル結合部２５０ａは、サブ拡散信号１４１ｂ〜１４１ｅおよびサブ雑音信号１４２ｂ〜１４２ｂを含んだ出力スペクトル１３０ａを出力する。
【００３５】
図３に示したジャミング信号１２３は一つのサブスペクトル１４０ｄにだけ混入した狭帯域の信号であるが、ジャミング信号１２３は複数のサブスペクトル１４０に混入する広帯域の信号であっても構わない。この場合、利得自動制御部２３０ａは、ジャミング信号１２３が混入した複数のサブスペクトル１４０それぞれの信号レベルをゼロにする。
【００３６】
実施の形態１において衛星中継局１１０の各機能はハードウェア（例えば、電子回路）、ファームウェア、ソフトウェアまたはこれらの組み合わせのいずれで実装されても構わない。衛星中継局１１０の少なくともいずれかの機能がファームウェアまたはソフトウェアを用いて実装される場合、衛星中継局１１０は、ファームウェアまたはソフトウェアを実行するためにＣＰＵやメモリなどのハードウェアを備える。
【００３７】
例えば、実施の形態１において、以下のような衛星中継局１１０について説明した。
衛星中継局１１０は、入力スペクトルをＡＤＣでアナログデジタル変換し、スペクトル分割機能でサブスペクトルに分割し、サブスペクトル単位で交換を行うことでサブスペクトルを任意の周波数にマッピングし、スペクトル結合機能でサブスペクトルを連続スペクトルに変換し、ＤＡＣでデジタルアナログ変換する。
また、衛星中継局１１０は，デジタル処理にて分割したサブスペクトル単位でレベル測定を行い，レベル測定結果に基づいてジャミング信号が含まれるサブスペクトル（サブチャネルともいう）を特定し，特定したサブスペクトルを利得制御によってミュートする。
これにより，ジャミング信号が除去され、無線通信性能（ＣＮＲ：Ｃａｒｒｉｅｒ  ｔｏ  Ｎｏｉｓｅ  Ｒａｔｉｏ）が改善する。
【００３８】
また例えば、実施の形態１において、以下のような信号中継器（衛星中継局１１０またはデジタル中継処理部２００）について説明した。括弧内に実施の形態１で使用した用語を記す。
信号中継器は、分割信号生成部（スペクトル分割部２２０）と、ジャミング混入信号検出部（利得自動制御部２３０のレベル測定部２３１）と、ジャミング混入信号減衰部（利得自動制御部２３０の利得制御部２３２）と、出力信号生成部（交換部２４０、スペクトル結合部２５０ａ〜２５０ｎ）とを備える。
分割信号生成部は、複数の部分周波数帯を含んだ特定の周波数帯の信号を入力信号（入力スペクトル１２０）として入力し、入力した入力信号を前記複数の部分周波数帯に分割して複数の分割信号（サブスペクトル１４０）を生成する。
ジャミング混入信号検出部は、前記分割信号生成部によって生成された複数の分割信号の分割信号毎に分割信号の電力値（信号レベル）と所定の電力閾値（レベル閾値）とを比較し、前記複数の分割信号のうち電力値が前記所定の電力閾値より大きい分割信号（図３のサブスペクトル１４０ｄ）をジャミング混入信号として検出する。
ジャミング混入信号減衰部は、前記ジャミング混入信号検出部によって検出されたジャミング混入信号の電力値を所定の減衰比で減衰させた値（ゼロ）に変更する。
出力信号生成部は、前記ジャミング混入信号減衰部によって変更された電力値を表すジャミング混入信号と前記ジャミング混入信号以外の分割信号との少なくともいずれかの信号を用いて出力信号（出力スペクトル１３０）を生成し、生成した出力信号を出力する。
【００３９】
実施の形態２．
ジャミング信号が混入したサブスペクトルの信号レベルをゼロにせずに減衰させる形態について説明する。
以下、実施の形態１と異なる事項について主に説明する。説明を省略する事項については実施の形態１と同様である。
【００４０】
衛星通信システム１００の構成は、実施の形態１と同様である（図１参照）。
【００４１】
デジタル中継処理部２００の機能構成は、実施の形態１と同様である（図２参照）。
但し、利得自動制御部２３０ａ〜２３０ｎの機能の一部が実施の形態１と異なる。
【００４２】
図４は、実施の形態２における利得自動制御部２３０ａの機能構成図である。
実施の形態２における利得自動制御部２３０ａの機能について、図４に基づいて説明する。他の利得自動制御部２３０の機能は利得自動制御部２３０ａと同様である。
【００４３】
利得自動制御部２３０ａは、実施の形態１と同じく、複数のレベル測定部２３１ａ〜２３１ｎと複数の利得制御部２３２ａ〜２３２ｎとを備える。
【００４４】
レベル測定部２３１ａ〜２３１ｎの機能は、実施の形態１と同じである。
【００４５】
利得制御部２３２ａは以下のように機能する。他の利得制御部２３２ｂ〜２３２ｎは利得制御部２３２ａと同様に機能する。
サブスペクトル１４０ａに入力拡散信号１２１のいずれの一部も含まれない場合、利得制御部２３２ａは、サブスペクトル１４０ａの信号レベルをゼロにする（実施の形態１と同じ）。
サブスペクトル１４０ａに入力拡散信号１２１の少なくとも一部が含まれ、サブスペクトル１４０ａの信号レベルがレベル閾値より大きい場合、利得制御部２３２ａは、サブスペクトル１４０ａに信号レベルを下げるための所定の利得を与える。この場合、信号レベルが低いサブスペクトル１４９ａが利得自動制御部２３０から出力される（実施の形態１と異なる）。
サブスペクトル１４０ａに入力拡散信号１２１の少なくとも一部が含まれ、サブスペクトル１４０ａの信号レベルがレベル閾値以下である場合、利得制御部２３２ａは、サブスペクトル１４０ａに信号レベルを下げるための所定の利得を与えない。この場合、サブスペクトル１４０ａと同じ信号レベルのサブスペクトル１４９ａが利得自動制御部２３０から出力される（実施の形態１と同じ）。
【００４６】
例えば、サブスペクトル１４０ｄに入力拡散信号１２１の一部が含まれると共にジャミング信号１２３が混入している場合、サブスペクトル１４０ｄの信号レベルはレベル閾値より高いため、利得自動制御部２３０ａは、サブスペクトル１４０ｄより信号レベルが低いサブスペクトル１４９ｄを出力する。
【００４７】
例えば、実施の形態２において、以下のような衛星中継局１１０について説明した。
衛星中継局１１０は，デジタル処理にて分割したサブスペクトル単位でレベル測定を行い，レベル測定結果に基づいてジャミング信号が混入したサブスペクトル（サブチャネルともいう）を特定し，特定したサブスペクトルを利得制御によって減衰させる。
これにより，ジャミング信号が混入したサブスペクトルに含まれる通信信号（入力拡散信号）を利用して通信データを復調することができると共に、無線通信性能（ＣＮＲ）を改善することができる。
【符号の説明】
【００４８】
１００  衛星通信システム、１０１，１０２  地上局、１１０  衛星中継局、１１１  受信アンテナ、１１２  アナログ入力処理部、１１３  アナログ出力処理部、１１４  送信アンテナ、１２０  入力スペクトル、１２１  入力拡散信号、１２２  入力雑音信号、１２３  ジャミング信号、１３０  出力スペクトル、１４０  サブスペクトル、１４１  サブ拡散信号、１４２  サブ雑音信号、１４９  サブスペクトル、２００  デジタル中継処理部、２１０  ＡＤＣ、２２０  スペクトル分割部、２３０  利得自動制御部、２３１  レベル測定部、２３２  利得制御部、２４０  交換部、２５０  スペクトル結合部、２６０  ＤＡＣ。
【図１】
2013236250.tif 000003
【図２】
2013236250.tif 000004
【図３】
2013236250.tif 000005
【図４】
2013236250.tif 000006